(57)【要約】      （修正有）【課題】ノズルヘッドを押し下げ、内容液を吐出する吐出容器において、ポンプに、ノズルヘッドを押下げ操作するとともに、ノズルヘッドの上下動を案内する押圧操作体を着脱可能に装着した吐出ポンプ付容器を提供すること。【解決手段】容器体ＡとポンプＢと、押圧操作体Ｃとからなる吐出ポンプ付容器であって、ポンプＢは、取付キャップ１を介して容器体Ａの口筒部に取着されており、押圧操作体Ｃは、取付キャップ１に着脱可能に装着される取付部と、操作レバー部Ｃ２とからなり、操作レバー部Ｃ２は、取付部の上壁上面に立設される支柱部９と、支柱部９の上端部に形成される弾性変形可能な折曲げ部１０と、支柱部の上端から延びる押え板部１１とからなり、操作レバー部Ｃ２には、吐出ノズル４を案内するノズル案内孔１２が形成され、押え板部１１は、山部と谷部を有する波形に形成され、山部の中央下面にノズルヘッド３に接触する突起１３を垂設している。【選択図】図１
2010132343.tif 000002
【特許請求の範囲】
【請求項１】
容器体とポンプと、ポンプに装着される押圧操作体とからなる吐出ポンプ付容器であって、
ポンプは、吐出ノズルを設けたノズルヘッドを具え、取付キャップを介して容器体の口筒部に取着されており、
押圧操作体は、取付キャップに着脱可能に装着される取付部と、操作レバー部とからなり、
取付部は、側周壁と、側周壁の上端に連設された上壁とからなり、
操作レバー部は、取付部の上壁上面に立設される支柱部と、支柱部の上端部に形成される弾性変形可能な折曲げ部と、支柱部の上端から延びる押え板部とからなり、
操作レバー部には、吐出ノズルを案内するノズル案内孔が形成され、
押え板部は、山部と谷部を有する波形に形成され、山部の中央下面にノズルヘッドに接触する突起を垂設し、谷面から先端までは押圧部となっていることを特徴とする吐出ポンプ付容器。
【請求項２】
支柱部が、二つの支柱部からなり、両方の支柱部の間は、吐出ノズルを案内するノズル案内孔が形成されていることを特徴とする請求項１記載の吐出ポンプ付容器。
【請求項３】
操作レバー部の押え板部から押圧部の間に、吐出ノズルを案内するノズル案内孔を穿孔し、
支柱部に、吐出ノズルを案内可能とした長孔を穿孔したことを特徴とする請求項１記載の吐出ポンプ付容器。
【請求項４】
二つの支柱部の一方が、上壁の上面から立設される下支柱部と、下支柱部の上端から横方向に延びる横支柱部と、横支柱部の先端から上方に延びる上支柱部とから形成され、
ノズル案内孔が、吐出ノズルの上下動を案内する上下動案内孔部と、横支柱部上面から延び、吐出ノズルの下動を規制するストッパー孔部とに区画されていることを特徴とする請求項１に記載の吐出ポンプ付容器。
【請求項５】
横支柱部上面の下支柱部側端部に、突部が突設されていることを特徴とする請求項４記載の吐出ポンプ付容器。
【請求項６】
取付部は、取付キャップの外周に係合する円弧状の側周壁と、側周壁の上端に連設され、円弧状の外縁と、ポンプのステム外周を囲む円弧状の内縁と、外縁と内縁とのそれぞれの端部をつなぐ二つの端縁とから馬蹄形に形成される上壁とからなっていることを特徴とする請求項１〜５のいずれかに記載の吐出ポンプ付容器。
【請求項７】
上壁は、外縁のそれぞれの端部が、側周壁のそれぞれの側端部の位置まで延びるとともに、外縁の中央側が、側周壁の中央の外周より外側に突出するように形成され、突出部となっていることを特徴とする請求項６に記載の吐出ポンプ付容器。
【発明の詳細な説明】
【技術分野】
【０００１】
本発明は、シャンプー、リンス、乳液、化粧品等の液体を吐出するのに適した吐出ポンプ付容器に関するものである。
【背景技術】
【０００２】
容器にポンプを装着したキャップ（下部蓋２）に、支持杆を突設し、該支持杆に中間操作部（５）を取着し、中間操作部（５）をポンプのピストン軸（上部蓋７）に設けた突起（１０）に係合させ、中間操作部（５）を片手で押下げ操作して、内容物を吐出口（４）より吐出するようにしたポンプ容器は、従来より知られている（例えば、特許文献１参照）。
【先行技術文献】
【特許文献】
【０００３】
【特許文献１】実開平５−９２１６５号公報
【発明の概要】
【発明が解決しようとする課題】
【０００４】
しかしながら、上記特許文献１記載の従来のポンプ容器では、中間操作部が、ノズルヘッドの下方にあるので、中間操作部の押下げ操作にあたってノズルヘッドが妨げになるという問題があった。
また、必要に応じてノズルヘッドを直接押し下げる際に、中間操作部が邪魔となり、ノズルヘッドを長いストロークで押し下げることができないという問題があった。
【０００５】
上記の問題点を防ぐためには、ピストン軸を長くする必要があり、外観が劣るばかりか、一般の押下げ式のポンプ付吐出容器には適用できなかった。
【０００６】
本発明は、上記問題を解決することを課題とし、ノズルヘッドを押し下げ、内容液を吐出する吐出容器において、ポンプに、ノズルヘッドを押下げ操作するとともに、ノズルヘッドの上下動を案内する押圧操作体を着脱可能に装着した吐出ポンプ付容器を提供することを目的とする。
【課題を解決するための手段】
【０００７】
本発明は、上記の問題を解決するため、吐出ポンプ付容器として、容器体とポンプと、ポンプに装着される押圧操作体とからなる吐出ポンプ付容器であって、ポンプは、吐出ノズルを設けたノズルヘッドを具え、取付キャップを介して容器体の口筒部に取着されており、押圧操作体は、取付キャップに着脱可能に装着される取付部と、操作レバー部とからなり、取付部は、側周壁と、側周壁の上端に連設された上壁とからなり、操作レバー部は、取付部の上壁上面に立設される支柱部と、支柱部の上端部に形成される弾性変形可能な折曲げ部と、支柱部の上端から延びる押え板部とからなり、操作レバー部には、吐出ノズルを案内するノズル案内孔が形成され、押え板部は、山部と谷部を有する波形に形成され、山部の中央下面にノズルヘッドに接触する突起を垂設し、谷面から先端までは押圧部となっていることを特徴とする構成を採用する。
【０００８】
支柱部の実施例として、支柱部が、二つの支柱部からなり、両方の支柱部の間は、吐出ノズルを案内するノズル案内孔が形成されていることを特徴とする構成、または、操作レバー部の押え板部から押圧部の間に、吐出ノズルを案内するノズル案内孔を穿孔し、支柱部に、吐出ノズルを案内可能とした長孔を穿孔したことを特徴とする構成を採用する。
【０００９】
支柱部の別実施例として、二つの支柱部の一方が、上壁の上面から立設される下支柱部と、下支柱部の上端から横方向に延びる横支柱部と、横支柱部の先端から上方に延びる上支柱部とから形成され、ノズル案内孔が、吐出ノズルの上下動を案内する上下動案内孔部と、横支柱部上面から延び、吐出ノズルの下動を規制するストッパー孔部とに区画されていることを特徴とする構成、または、横支柱部上面の下支柱部側端部に、突部が突設されていることを特徴とする構成を採用する。
【００１０】
取付部の実施例として、取付部は、取付キャップの外周に係合する円弧状の側周壁と、側周壁の上端に連設され、円弧状の外縁と、ポンプのステム外周を囲む円弧状の内縁と、外縁と内縁とのそれぞれの端部をつなぐ二つの端縁とから馬蹄形に形成される上壁とからなっていることを特徴とする構成、または、上壁は、外縁のそれぞれの端部が、側周壁のそれぞれの側端部の位置まで延びるとともに、外縁の中央側が、側周壁の中央の外周より外側に突出するように形成され、突出部となっていることを特徴とする構成を採用する。
【発明の効果】
【００１１】
ポンプの取付キャップに、押圧操作体を着脱可能に装着し、押圧操作体の操作レバー部の押え板部の押圧部を押下げ操作し、操作レバー部の折曲げ部を軸に押え板部を廻動させることにより、テコの作用により小さい力でノズルヘッドを押し下げることができるようになった。
また、押圧操作体は、着脱自在となっており、着脱にあたって、取付キャップに横方向から装着するので、取付けと取外しが簡単にできるようになった。
さらにまた、ポンプに対して押圧操作体が着脱可能に装着されているので、必要に応じて押圧操作体を取外して、ノズルヘッドを直接押し下げることもできるようになり、使い勝手がよくなった。
【００１２】
さらに、押圧操作体のノズル案内孔にストッバー孔部を設けることにより、ノズルヘッドの上下動を案内できるとともに、ノズルヘッドおよび押圧操作体の操作レバー部の押下げ操作を規制することができるようになった。
【図面の簡単な説明】
【００１３】
【図１】本発明第１実施例の吐出ポンプ付容器の説明図で、（ａ）は上面図、（ｂ）は側面図である。
【図２】押圧操作体の説明図で、（ａ）は上面図、（ｂ）は断面側面図である。
【図３】押圧操作体の押え板押し下げ時の側面図である。
【図４】変形実施例の吐出ポンプ付容器の説明図で、（ａ）は上面図、（ｂ）は断面側面図である。
【図５】第２実施例の吐出ポンプ付容器の説明図で、（ａ）は側面図、（ｂ）は正面図である。
【図６】押圧操作体の説明図で、（ａ）は正面図、（ｂ）は断面側面図である。
【図７】押圧操作体の押え板押し下げ操作時の正面図で、（ａ）は押え板押し下げ時、（ｂ）はストッパー作動時である。
【図８】第３実施例の吐出ポンプ付容器の説明図で、（ａ）は上面図、（ｂ）は側面図である。
【図９】押圧操作体の押え板押し下げ操作時の側面図である。
【発明を実施するための形態】
【００１４】
次に、本発明の吐出ポンプ付容器について、実施例をあげ、図面を参照して説明する。
【実施例１】
【００１５】
図１〜３において、Ａは容器体、Ｂはポンプ、Ｃは押圧操作体である。
【００１６】
ポンプＢは、容器体Ａの口筒部に装着する取付キャップ１と、ステム２と、ノズルヘッド３を具えており、ノズルヘッド３には、吐出ノズル４が設けられている。
ポンプＢは、ノズルヘッドの押下げ操作に応じて、容器体Ａから内容液を吸上げ、吐出ノズルから吐出するものであればよく、その内部構造は、周知の種々の構成のものを用いることができる。
【００１７】
押圧操作体Ｃは、図１、２に示すように、ポンプＢの取付キャップ１に装着する取付部Ｃ１と、取付部Ｃ１の上方に連設される操作レバー部Ｃ２とからなっている。
【００１８】
取付部Ｃ１は、取付キャップ１の外周に係合する円弧状の側周壁５と、側周壁５の上端に連設され、円弧状の外縁６ａと、ポンプＢのステム２の外周に係合する円弧状の内縁６ｂと、外縁６ａと内縁６ｂとのそれぞれの端部をつなぐ二つの端縁６ｃとから馬蹄形に形成される上壁６とからなっている。
上壁６の上面の中央部には、下面に側周壁５を垂設する位置付近に、操作レバー部Ｃ２が配設されている。
【００１９】
側周壁５は、片方の側端部５ａから他方の側端部５ａまで１８０°を越えて延びるように形成され、側周壁５の両方の側端部５ａ付近が弾性変形することによって、側周壁５が取付キャップ１の外周に対して、着脱可能となっている。
側周壁５の内周下端には、取付キャップ１の下端外縁に係合する係合突条７が配設されている。
【００２０】
上壁６は、外縁６ａのそれぞれの端部が、側周壁５のそれぞれの側端部５ａの位置まで延びるとともに、外縁６の中央側が、側周壁５の中央の外周より外側に突出するように形成され、突出部８が形成されている。
【００２１】
上壁６の内縁６ｂは、片方の端部６ｂａから他方の端部６ｂａまで１８０°を越えて延びるように形成され、上壁６の両方の端部６ｂａ付近が弾性変形し、内縁６ｂがポンプＢのステム２の外周に対して、着脱可能となっている。
【００２２】
操作レバー部Ｃ２は、取付部Ｃ１の上壁６上面にポンプＢの吐出ノズル４を受け入れる幅を隔てて立設される二つの支柱部９と、両方の支柱部９の上端部に形成される弾性変形可能な切込み溝状の折曲げ部１０と、二つの折曲げ部１０の上端を連結して後方に延びるように形成される押え板部１１とからなっている。
【００２３】
両方の支柱部９の間は、下端から押え板部１１の連結部まで延び、吐出ノズル４の上下動を案内するノズル案内孔１２となっている。
【００２４】
押え板部１１は、折曲げ部１０側から山部と谷部を有する波形に形成され、山部のほぼ中央下面には、ノズルヘッド３に接触する突起１３が垂設され、その外方にある谷面から先端までは押圧部１４となっている。
【００２５】
次に、本実施例の吐出ポンプ付容器の使用形態と作用効果について、説明する。
本実施例のポンプＢに押圧操作体Ｃを取り付ける際には、まず、ポンプＢのノズルヘッド３の吐出ノズル４を押圧操作体Ｃの操作レバー部Ｃ２のノズル案内孔１２に挿入する。
次に、押圧操作体Ｃの取付部Ｃ１の側周壁５内周と下端の係合突条７を、ポンプＢの取付キャップ１の外周と下端外縁に係合させるとともに、上壁６の内縁６ｂを、ステム２の外周に嵌挿させることによって、押圧操作体ＣをポンプＢに装着することができる。
その際、押圧操作体Ｃは、取付キャップ１の外側から横方向に押込むことによって、簡単に装着することができ、取外しも簡単にできる。
【００２６】
内容液の吐出にあたっては、押圧操作体Ｃの操作レバー部Ｃ２の押え板部１１の押圧部１４を、指などで下方に押し下げる。
【００２７】
押圧部１４を下方に押し下げると、図３に示すように、操作レバー部Ｃ２の折曲げ部１０が変形していくとともに、折曲げ部１０を支点として、押え板部１１の押圧部１４側が下方に押し下げられ、押え板部１１の下面に垂設した突起１３がポンプＢのノズルヘッド３を押し下げる。
その際、押圧部１４の谷面は、突起１３より離れて位置しているので、テコの作用によって小さい力でノズルヘッド３を押し下げることができる。
【００２８】
押し下げは、容器体Ａを据え置いた状態でも、容器体Ａを手に持った状態でも、軽く押すだけでよい。
また、押圧操作体Ｃの側周壁５外周、および上壁６の突出部８下面に、人差し指や他の指を掛けた状態で、親指で押圧部１４を押し下げるようにしてもよい。
【００２９】
ノズルヘッド３を押し下げると、吐出ノズル４が操作レバー部Ｃ２のノズル案内孔１２内方で下方に動くとともに、ポンプＢが容器体Ａ内の内容液を吸上げ、ポンプＢの吐出ノズル４から吐出される。
【００３０】
押圧部１４の押し下げを終了すると、ポンプＢの作用により、ノズルヘッド３および吐出ノズル４が上方に戻るとともに、操作レバー部Ｃ２の折曲げ部１０の復元により、押え板部１１の押圧部１４側が持ち上がり、操作レバー部Ｃ２が元の形状に戻る。
また、必要に応じて、押圧操作体Ｃの押圧部１４の押下げ操作を繰り返すことで、内容液を吸上げ、吐出ノズル４から連続して吐出させることができる。
【００３１】
本実施例は、操作レバー部Ｃ２に、ポンプＢの吐出ノズル４の上下動を案内するノズル案内孔１２が設けられているため、操作レバー部Ｃ２の押え板部１１を操作し、ノズルヘッド３を上下動させても、吐出ノズル４により案内され、ノズルヘッド３および吐出ノズル４が回転して他の方向を向いてしまうことを防止することができる。
【００３２】
容器を持ち運ぶ際には、押圧操作体Ｃの側周壁５外周および上壁６の突出部８下面に指を掛けて把持することができ、持ち運びに便利である。
【００３３】
本発明は、使用する際に押圧操作体Ｃが必要でない場合、押圧操作体Ｃの取付部Ｃ１の側周壁５内周と係合突条７および上壁６の内縁６ｂと、ポンプＢの取付キャップ１の外周と下端外周およびステム２の外周との嵌合を外すとともに、押圧操作体Ｃの操作レバー部Ｃ２のノズル案内孔１２をポンプＢの吐出ノズル４から外して、押圧操作体ＣをポンプＢから外すことができ、必要に応じて押圧操作体Ｃを取外して直接ノズルヘッド３を押下げ操作して、ポンプＢを使用することができる。
【００３４】
次に、第１実施例の変形実施例について説明する。
前記実施例では、操作レバー部の支柱部として二本の支柱を採用したが、支柱を一つとし、所定箇所にノズル案内孔を穿孔するようにしてもよい。
【００３５】
以下、変更点のみ説明する。
図４に示すように、支柱部９ａは、一枚板で形成され、所定の位置には、ノズル案内孔１２ａが穿孔されている。
ノズル案内孔１２ａの両側は、連結部９ｂとなっており、連結部９ｂには、それぞれ折曲げ部１０が設けられ、連結部９の上方は、押え板部１１に連設されている。
【００３６】
その他の構成は、第１実施例と同一であり、押圧操作体Ｃの操作により、同一の作用効果を得ることができる。
【実施例２】
【００３７】
次に、押圧操作体の操作レバー部の構成を変更した第２実施例について説明する。
第１実施例と同一の構成については、同一の符号を用いて図示して説明を省略し、以下相違点を中心に説明する。
【００３８】
図５において、Ａは容器体、Ｂはポンプ、Ｃａは押圧操作体である。
【００３９】
押圧操作体Ｃａは、図５、６に示すように、ポンプＢの取付キャップ１に装着する取付部Ｃａ１と、取付部Ｃａ１の上方に連設される操作レバー部Ｃａ２とからなっている。
【００４０】
操作レバー部Ｃａ２は、取付部Ｃａ１の上壁６上面の所定の位置に立設されるストッパー支柱部１５と、ストッパー支柱部１５からポンプＢの吐出ノズル４を受け入れる幅を隔てて立設される支柱部１６と、ストッパー支柱部１５および支柱部１６の上端部に形成される弾性変形可能な折曲げ部１０と、二つの折曲げ部１０の上部から、連結して後方に延びるように形成される押え板部１１とからなっている。
【００４１】
ストッパー支柱部１５は、上壁６の上面から立設される下支柱部１５ａと、下支柱部１５ａの上端から外側方向に少なくとも吐出ノズル４の幅だけ延びる横支柱部１５ｂと、横支柱部１５ｂの先端から上方に延び、上端に折曲げ部１０が形成される上支柱部１５ｃとからなっている。
横支柱部１５ｂの上面は、段部１７となり、下支柱部１５ａ側の端部に突部１８が突設されている。
【００４２】
ストッパー支柱部１５と支柱部１６の間は、下端から押え板部１１の連結部まで延び、吐出ノズル４を案内するノズル案内孔１９となっている。
ノズル案内孔１９は、支柱部１６からストッパー支柱部１５の下支柱部１５ａの幅で上方に延びる上下動案内孔部１９ａと、横支柱部１５ｂ上面の段部１７より上方のストッパー孔部１９ｂとに区画されている。
【００４３】
次に、本実施例の吐出ポンプ付容器の使用形態と作用効果について、説明する。
内容液の吐出にあたっては、まず、ポンプＢの吐出ノズル４をノズルヘッド３とともに廻動させ、吐出ノズル４を操作レバー部Ｃａ２のノズル案内孔１９の上下動案内孔部１９ａ側に合せた後、操作レバー部Ｃａ２の押え板部１１の押圧部１４を指などで下方に押し下げる。
【００４４】
押圧部１４を下方に押し下げると、ノズルヘッド３が押し下げられるとともに、図７（ａ）に示すように、吐出ノズル４が、操作レバー部Ｃａ２のノズル案内孔１９の上下動案内孔部１９ａで案内されて下方に動き、ポンプＢが容器体Ａ内の内容液を吸上げ、ポンプＢの吐出ノズル４から吐出される。
【００４５】
押圧部１４の押し下げを終了すると、ポンプＢの作用および操作レバー部Ｃａ２の折曲げ部１０の復元により、ノズルヘッド３と押え板部１１が上昇するとともに、吐出ノズル４がノズル案内孔１９の上下動案内孔部１９ａで案内されて上昇し、元の形状に戻る。
【００４６】
内容液を吐出しない際には、ポンプＢの吐出ノズル４をノズルヘッド３とともに廻動させ、図７（ｂ）に示すように、吐出ノズル４を操作レバー部Ｃａ２のノズル案内孔１９のストッパー孔部１９ｂ側に合わせる。
【００４７】
吐出ノズル４をストッパー孔部１９ｂ側に合わせた後、操作レバー部Ｃａ２の押え板部１１を押し下げようとしても、吐出ノズル４の下面が、操作レバー部Ｃａ２のストッパー支柱部１５の段部１７に当接し、吐出ノズル４の下降が阻止されるので、ノズルヘッド３の下降も阻止されるとともに、押え板部１１の押し下げが阻止され、内容液の吐出を阻止することができる。
【００４８】
また、段部１７に突部１８が突設されているので、吐出ノズル４をストッパー孔部１９ｂ内でロックさせることができ、運搬時の衝撃により、吐出ノズル４が上下動案内孔部１９ａ側にノズルヘッド３とともに廻動することを防止できる。
その他の作用効果は、実施例１と同じである。
【００４９】
上記実施例では、突部１８を設けることによって、吐出ノズル４をストッパー孔部１９内に維持するようにしているが、ノズルヘッド３の最上昇位置は、ピストンのばね力によって維持されるので、突部１８はなくてもよい。
【００５０】
本実施例の押圧操作体Ｃａは、ポンプＢのノズルヘッド３および吐出ノズル４を、操作レバー部Ｃａ２に設けたノズル案内孔１９内で、所定位置まで廻動させ、ノズルヘッド３および吐出ノズル４の上下動を案内したり、または、上下動を規制したりすることができ、使用時、または、運搬時に、予期せぬ内容液の吐出を防止できる。
【００５１】
上記実施例では、操作レバー部Ｃａ２のストッパー支柱部１５の横支柱部１５ｂの横幅を少なくとも吐出ノズル４の幅としたが、ノズル案内孔１９に形成するストッパー孔部１９ｂが吐出ノズル４の下降を防ぐだけであれば、吐出ノズル４が最低限引っ掛かる幅であればよく、横支柱部１５ｂの横幅は、上記実施例の形態に限定されない。
【００５２】
上記実施例では、操作レバー部Ｃａ２が、取付部Ｃａ１の上壁６上面の所定の位置にストッパー支柱部１５と、支柱部１６を具えて形成しているが、両方とも内方から外方に変形するストッパー支柱部で形成し、操作レバー部Ｃａ２のノズル案内孔を左右のストッパー孔部に挟まれた上下動案内孔部という構成にしてもよい。
その場合、吐出ノズル４を左右どちらに廻動させても、ポンプＢの押し下げを防止することができるようになる。
【００５３】
前記実施例では、吐出ノズル４を廻動させることによって、押圧操作体Ｃの所要の案内孔部と位置合わせしたが、押圧操作体Ｃを廻動させることによって位置合わせすることもできる。
その場合は、取付部、または操作レバー部の支柱部のいずれかを把持して廻動させてもよい。
【実施例３】
【００５４】
次に、押圧操作体Ｃ１の操作レバー部を、吐出ノズルと同一の方向、または反対の方向にも変更可能にした実施例について説明する。
第１実施例とは、操作レバー部の構成が異なるだけであるので、同一の構成については、同一の符号を用いて図示して説明を省略し、以下相違点を中心に説明する。
【００５５】
図８、９において、Ａは容器、Ｂはポンプ、Ｃｂは押圧操作体、Ｃｂ１は取付部、Ｃｂ２は操作レバー部である。
【００５６】
押圧操作体Ｃｂは、実施例１とは異なり、取付部Ｃｂ１は、ポンプＢの吐出ノズル４の反対側の位置で取付キャップ１に取着され、操作レバー部Ｃｂ２は、吐出ノズル４の方向に湾曲して延びている。
【００５７】
取付部Ｃｂ１は、取付キャップ１に装着され、取付部Ｃｂ１の上壁６には、操作レバー部Ｃｂ２の支柱部２０が立設され、支柱部２０の中間部には、所定の長さを有する長孔２１が穿設され、長孔２１の両側は、連結部２２となっており、切込み溝状の折曲げ部２３が形成されている。
【００５８】
長孔２１に連設して前方に延びるように、押え板部２４が形成されている。
押え板部２４は、山部と谷部を有する波形に形成され、山部のほぼ中央下面には、ノズルヘッド３当接する突起２５が垂設され、山部の傾斜部には、押え板部２４を操作したときに、吐出ノズル４が通過できるノズル案内孔２６が穿設されている。
ノズル案内孔２６の下方から先端までは押圧部２７となっている。
【００５９】
次に、本実施例の吐出ポンプ付容器の使用態様と作用効果について説明する。
押圧操作体Ｃｂの装着、取外しは、第１実施例と同様に簡単にできる。
内容液の吐出にあたっては、押圧部２７を押し下げるとノズルヘッド３が押し下げられ、吐出ノズル４から内容液が吐出される。
【００６０】
また、本実施例の押圧操作体Ｃｂは、第１実施例と同様にして、吐出ノズル４の方向からも取付キャップ１に取付けることができる。
その際、吐出ノズル４を長孔２１に挿入するようにして、取付部Ｃｂ１を取付キャップ１に取付け、操作レバー部Ｃｂ２の押圧部２７を押し下げると、ノズルヘッド３を押し下げ、吐出ノズル４から内容物を吐出することができる。
この場合、長孔２１が、ノズル案内孔の役割を果たすことになる。
【００６１】
したがって、押圧操作体Ｃｂを、取付キャップ１に対して、いずれの方向にでも簡単に取付けることができ、利用者が好みに応じて、簡単に装着し、押下げ操作ができるという作用効果を得ることができる。
【産業上の利用可能性】
【００６２】
本発明は、ノズルヘッドを上方から押圧できる操作レバー部を具えた押圧操作体を、ポンプに装着することにより、小さい力でノズルヘッドを押し下げることができるとともに、ノズルヘッドの押し下げを規制することができ、さらに、必要に応じて取外せるので、各種の吐出ポンプ付容器に装着して広く利用できるようになった。
【符号の説明】
【００６３】
Ａ        容器体
Ｂ        ポンプ
Ｃ、Ｃａ、Ｃｂ  押圧操作体
Ｃ１、Ｃａ１、Ｃｂ１  取付部
Ｃ２、Ｃａ２、Ｃｂ２  操作レバー部
１        取付キャップ
２        ステム
３        ノズルヘッド
４        吐出ノズル
５        側周壁
５ａ      側端部
６        上壁
６ａ      外縁
６ｂ      内縁
６ｂａ    端部
６ｃ      端縁
７        係合突条
８        突出部
９、１６、２０  支柱部
１０、２３    折曲げ部
１１、２４    押え板部
１２、１９、２６  ノズル案内孔
１３、２５    突起
１４、２７    押圧部
１５      ストッパー支柱部
１５ａ    下支柱部
１５ｂ    横支柱部
１５ｃ    上支柱部
１７      段部
１８      突部
１９ａ    上下動案内孔部
１９ｂ    ストッパー孔部
２１      長孔
２２      連結部
【図１】
2010132343.tif 000003
【図２】
2010132343.tif 000004
【図３】
2010132343.tif 000005
【図４】
2010132343.tif 000006
【図５】
2010132343.tif 000007
【図６】
2010132343.tif 000008
【図７】
2010132343.tif 000009
【図８】
2010132343.tif 000010
【図９】
2010132343.tif 000011